(57)【要約】【課題】屋外側から操作できる隙間があっても解錠が不可能な雨戸錠を提供すること。【解決手段】屋外側の雨戸と、屋内側のガラス戸とよりなる二層構造の建具において、施錠時に、前記雨戸と前記ガラス戸とで形成される空隙幅より長い寸法のアームを有する落とし棒により、解錠するために必要な前記アームの回転を前記ガラス戸の可動戸枠によって阻止する。【選択図】図１
2008095476.tif 000002
【特許請求の範囲】
【請求項１】
建物開口部に設置され、屋内側のガラス戸と二層構造を形成する雨戸の可動部の縁に設けられた装着溝に装着され、前記雨戸の固定戸枠に形成された錠孔を利用して施錠する雨戸錠において、
回転可能な略円柱状の落とし棒と、前記落とし棒上に形成された系止部と、前記落とし棒上に略直角に形成された施錠時に前記ガラス戸によって前記回転を規制され施錠状態を保持できる寸法のアームとを有する可動部と、前記落とし棒を軸支し回転軸に沿って移動せしめる前記錠孔に向かって形成された挿通孔と、前記系止部の移動経路周辺にあり施錠状態となる位置に設けられた第一系止溝とよりなる本体と、前記本体を前記雨戸に装着するための取付部とを有する固定部とより構成されることを特徴とする雨戸錠。
【請求項２】
建物開口部に設置され、屋内側のガラス戸と二層構造を形成する雨戸の可動部の縁に設けられた装着溝に装着され、前記雨戸の固定戸枠に形成された錠孔を利用して施錠する雨戸錠において、
前記系止部の前記移動経路周辺にあり解錠状態となる位置に設けられた第二系止溝と、前記系止部を前記第二系止溝に押圧するためのバネとを有することを特徴とする請求項１記載の雨戸錠。
【請求項３】
建物開口部に設置され、屋内側のガラス戸と二層構造を形成する雨戸の可動部の縁に設けられた装着溝に装着され、前記雨戸の固定戸枠に形成された錠孔を利用して施錠する雨戸錠において、
前記挿通孔の下端に接して調整孔が前記取付部に形成され、前記取付部は前記本体より取り外し可能となることを特徴とする請求項１又は２記載の雨戸錠。
【発明の詳細な説明】
【技術分野】
【０００１】  本発明は、雨戸の縁の各々に設け、施錠することによって屋外からの開閉を不可能とする雨戸錠の構造に関する。
【背景技術】
【０００２】  一般に各種建物に設置されている雨戸には防犯のため室内のみから操作可能な雨戸錠が設けられている。この雨戸錠は、主に雨戸の可動部の縁の各々に取り付けられ、雨戸錠の落とし棒を、雨戸の固定戸枠に設けた錠孔に貫通系合させることによって雨戸の可動部の開閉を不能とするものである。【０００３】  これらの例として、引き戸式雨戸の可動部の下縁に設けられている雨戸錠は、方形状の函体と、この函体内部のスライド機構及び系止機構とより構成されている。【０００４】  スライド機構は、函体を上下に貫く上端に施錠操作を行う施錠レバーと、中間に段部を形成する落とし棒と、落とし棒を上方に押し上げる力を与えるように一端を落とし棒中央部、他端を函体上部に固定された引っ張りバネとよりなっている。【０００５】  系止機構は、回転可能となるように、一端部が函体に軸支された回転板であり、この回転板には解錠するための解錠レバーと、落とし棒段部に嵌め込まれ、段部の移動により回転板の回転を制御するような形状にくり貫かれた系止溝とを有している。系止溝の形状は、段部が施錠状態である最下点位置以外においては、段部が移動しても回転板が解錠状態である最上点位置と同位置を保持するようになっている。系止溝の形状は、さらに、段部が施錠位置にある最下点位置においては、回転板は自らの重みにより自由に回転できるようになっている。【０００６】  解錠状態にある雨戸錠を施錠するためには、落とし棒が錠孔に貫通する位置に雨戸可動部を固定戸枠に沿って移動した上で、落とし棒の施錠レバーを押下する。押下された落とし棒は、落とし棒を上方に押し上げようとする引っ張りバネの力に抗し下方に移動を開始する。これに伴って、落とし棒段部が下方に移動を開始する。段部が移動しても、系止溝の形状により、回転板は回転せず解錠状態と同位置を保持する。【０００７】  さらに押下を続けると、落とし棒が、最下点の施錠位置に達する。系止溝の形状により、回転板は系止位置へ回転する。落とし棒は錠孔を貫通し、雨戸は施錠状態となる。施錠状態となったことを確認して施錠レバーの押下を止めると、引っ張りバネの力により上方に引っ張られた段部は、回転した回転板の系止溝を挟み押下し施錠状態を維持する。【０００８】  この施錠状態にある雨戸錠を解除するためには、回転板の解錠レバーを押下する。すると回転板が回転し解錠状態位置に戻る。すると、もはや系止溝に阻止されることのない段部は、瞬時に引っ張りバネの力により上方に引っ張られる。落とし棒は錠孔より抜け最上点に押し戻され、雨戸錠は解錠される。【０００９】
【特許文献１】特開平９−２６８８５７号公報
【発明の開示】
【発明が解決しようとする課題】
【００１０】  このような雨戸錠を有した雨戸においては、屋外側の雨戸の固定戸枠と屋内側のガラス戸の固定戸枠によって二層となった構造の建具を建物開口部に設置し使用されている例が見受けられる。【００１１】  戸袋を有した引き戸式である例が見受けられるこれらの雨戸は、閉めた状態において、戸袋側の垂直方向に住宅壁との間に隙間を有するのが一般的である。この隙間を利用して、隙間より細く、雨戸錠位置まで届く程度の長さの金属棒等を挿入して雨戸錠の解錠レバーを操作して解錠することによって屋外からの侵入が可能となるという問題がある。【００１２】  本発明の目的は、上記問題を解決し、屋外側の雨戸と屋内側のガラス戸よりなる二層構造の建具において、種々の原因により雨戸可動部と固定戸枠との間に隙間が生じ、結果として屋外からの解錠操作が可能となるような雨戸において、解錠を不可能とする雨戸錠を提供することである。
【課題を解決するための手段】
【００１３】  このような目的を達成するために、本出願の請求項１記載の雨戸錠は、建物開口部に設置され、屋内側のガラス戸と二層構造を形成する雨戸の可動部の縁に設けられた装着溝に装着され、前記雨戸の固定戸枠に形成された錠孔を利用して施錠する雨戸錠において、回転可能な略円柱状の落とし棒と、前記落とし棒上に形成された系止部と、前記落とし棒上に略直角に形成された施錠時に前記ガラス戸によって前記回転を規制され施錠状態を保持できる寸法のアームとを有する可動部と、前記落とし棒を軸支し回転軸に沿って移動せしめる前記錠孔に向かって形成された挿通孔と、前記系止部の移動経路周辺にあり施錠状態となる位置に設けられた第一系止溝とよりなる本体と、前記本体を前記雨戸に装着するための取付部とを有する固定部とより構成されることを特徴とする。【００１４】  請求項２に記載の発明は、請求項１記載の雨戸錠において、前記系止部の前記移動経路周辺にあり解錠状態となる位置に設けられた第二系止溝と、前記系止部を前記第二系止溝に押圧するためのバネとを有することを特徴とする。【００１５】  請求項３に記載の発明は、請求項１又は２記載の雨戸錠において、前記挿通孔の下端に接して調整孔が前記取付部に形成され、前記取付部は前記本体より取り外し可能となることを特徴とする。
【発明の効果】
【００１６】  以上説明したように、本発明によれば、本雨戸錠を雨戸に装着することにより、屋外側の雨戸及び屋内側のガラス戸が閉じられた施錠時には、解錠するために必要なアームの回転がガラス戸の可動戸枠によって阻止されるため、解錠を不可能とすることができる。
【発明を実施するための最良の形態】
【００１７】  以下、図面を参照しながら本発明の実施形態について説明する。図１は、本発明の第一実施形態の雨戸錠を示す斜視図である。第一実施形態の雨戸錠は、固定部１００と可動部２００より構成されている。固定部１００は、挿通孔上端１１１と、第一系止溝１１２と、移動経路１１３と、第二系止溝１１４とを有する本体１１０と、雨戸取付孔１２１を有する取付部１２０とよりなっている。可動部２００は、落とし棒２０１と、系止部２０２と、アーム２０３とを有している。図１は、系止部２０２が解錠位置である第二系止溝１１４に系止されている状態を示している。アーム２０３を図１の手前にほぼ直角となるまで回転することで系止解除となり、この状態では、系止部２０２は、移動経路１１３に沿って第一系止溝１１２と第二系止溝１１４との間を移動することが可能である。Ａ−Ａは後述の図３、図４、図５、図６の各断面位置を示す。【００１８】  図２は、第一実施形態の雨戸錠を示す分解図である。固定部１００には、図１で説明した構成要素に加えて、取付部１２０を着脱可能とし、本体１１０とネジ（図示せず）によって結合するための、固定部ネジ孔１１５と、固定部孔１２２が形成されている。さらに、落とし棒２０１を挿入軸支するため、取付部１２０には調整孔１２３が形成されている。軸支された落とし棒２０１の軸角度の調整を、調整孔１２３の位置を変えることにより行うため、固定部孔１２２は長孔で形成されているとともに、挿通孔上端１１１（図示せず）より下に向かって挿通孔１１６が形成されている。可動部２００は、落とし棒２０１上に嵌め込むバネ２０４を有し、落とし棒２０１上にバネ２０４の一端を固定するための段差２０５が形成されている。バネ２０４の他端は調整孔１２３に固定されて、常に、落とし棒２０１を上方へ押圧する力を与えている。第一実施形態では、落とし棒２０１の上端と、系止部２０２と、アーム２０３とは一体構造となっている。又、バネ２０４は圧縮バネを用いている。【００１９】  図３は、第一実施形態の雨戸錠を示すＡ−Ａ断面図である。落とし棒２０１は、挿通孔上端１１１と、調整孔１２３によって軸支されている。落とし棒２０１の上端と一体化している系止部２０２（図示せず）は解錠位置である第二系止溝１１４に系止され、バネ２０４の力により第二系止溝１１４の上面を押圧している。取付部１２０は落とし棒２０１が垂直となるような軸角度で取り付けられている。【００２０】  図４は、第一実施形態の傾斜した落とし棒の雨戸錠を示すＡ−Ａ断面図である。図４は、取付部１２０の取り付け位置と、落とし棒２０１の軸角度とが異なっていることを除いては図３と同一である。取付部１２０は、落とし棒２０１が垂直から僅かに傾むいた軸角度となるように取り付けられている。このように、長孔で形成されている固定部孔１２２（図示せず）と固定部ネジ孔１１５（図示せず）の取付位置を変えることによって、落とし棒２０１の軸角度を調整し、各種の雨戸の錠孔位置に最適合致させることが可能となる。【００２１】  落とし棒２０１の軸角度の調整を行うために、別の方法として、落とし棒２０１が特定の軸角度になるように調整孔１２３の各々が配置された複数の取付部１２０を追加オプ��ョンとし提供して実施してもよい。【００２２】  図５は、雨戸に装着された第一実施形態の雨戸錠の解錠状態を示す要部Ａ−Ａ断面図である。図５は、第一実施形態の雨戸錠が装着される雨戸下縁近傍のみを示している。建物開口部（図示せず）上に設置された固定戸枠３００には、雨戸レール３０１と、屋外側ガラス戸レール３０２と、屋内側ガラス戸レールと３０３と、雨戸レール３０１の横に錠孔３０４とが形成されている。雨戸可動部３１０は、雨戸枠３１１と、装着溝３１２と、雨戸戸車３１３とを有している。屋外側ガラス戸３２０は、屋外側ガラス戸枠３２１と、屋外側ガラス３２２と、屋外側ガラス戸戸車３２３とを有している。屋内側ガラス戸３３０は、屋内側ガラス戸枠３３１と、屋内側ガラス３３２と、屋内側ガラス戸戸車３３３とを有している。解錠状態における第一実施形態の雨戸錠は、装着ネジ（図示せず）によって装着溝３１２に固定されている。解錠状態であるため、落とし棒２０１の下端は錠孔３０４には貫通しておらず、落とし棒２０１の上端と一体化された系止部２０２（図示せず）は、解錠位置にある第二系止溝１１４へ系止され、バネ２０４の力により傾斜した第二系止溝１１４上面を押圧している。このため、落とし棒２０１の上端と一体構造となっているアーム２０３（図示せず）は、図５の手前側に回転し雨戸レール３０１とほぼ平行に押圧されていて、雨戸可動部３１０の移動を妨げることがないような配置をとる構造となっている。【００２３】  解錠状態で、アーム２０３を雨戸レール３０１とほぼ平行に系止押圧するために、バネ２０４の力を用いる代わりに、第二系止溝１１４自体を板バネで形成して、系止部２０２を挟み込むことによって実施してもよい。さらに別の方法として、雨戸可動部３１０がスチール製等磁気反応材料である場合、アーム２０３上に磁性体を装着し、磁力によりアーム２０３を雨戸可動部３１０に押圧することによって実施してもよい。【００２４】  図６は、雨戸に装着された第一実施形態の雨戸錠の施錠状態を示す要部Ａ−Ａ断面図である。図６は、施錠状態であることを除いては図５と同一である。図６では、屋外側ガラス戸３２０は図６の手前より奥に移動して閉じられ、ガラス戸錠（図示せず）も施錠されている。空隙幅４００が雨戸可動部３１０と屋内側ガラス戸３３０とによって形成されている。落とし棒２０１は錠孔３０４を貫通している。Ｂ−Ｂは後述の図７の断面位置を示す。【００２５】  解錠状態にある雨戸錠を施錠するためには、落とし棒２０１が錠孔３０４に貫通する位置に雨戸可動部３１０を雨戸レール３０１に沿って移動した上で、雨戸レール３０１とほぼ平行に第二系止溝１１４に系止押圧されているアーム２０３（図示せず）を雨戸レール３０１とほぼ直角になるまで回転させ、そのまま、バネ２０４の力に抗してアーム２０３を押し下げる。さらに下降させると、落とし棒２０１の下端は錠孔３０４を貫通し、落とし棒２０１の上端と一体構造となっている系止部２０２（図示せず）が施錠位置である第一系止溝１１２に達する。ここで、アーム２０３を左右いずれかに雨戸レール３０１とほぼ平行になるまで回転させる。これにより系止部２０２は第一系止溝１１２に系止される。さらに、屋外側ガラス戸３２０と、屋内側ガラス戸３３０とを閉じ前記ガラス戸錠を施錠することによって、第一実施形態の雨戸錠の施錠が完了する。【００２６】  第一実施形態の雨戸錠を解錠するためには、前記ガラス戸錠を解錠し、屋外側ガラス戸３２０と屋内側ガラス戸３３０とを、アーム２０３の操作に支障ない位置に、各々屋外側ガラス戸レール３０２と屋内側ガラス戸レール３０３に沿って移動した上で、アーム２０３を雨戸レール３０１とほぼ直角になるまで回転させる。すると第一系止溝１１２との系止が解除された系止部２０２は、瞬時にバネ２０４の力により解錠位置である第二系止溝１１４へ移動する。そのまま、アーム２０３を左右いずれかに雨戸レール３０１とほぼ平行になるまで回転させると、アーム２０３は、第二系止溝１１４へ系止押圧され、解錠状態を保持する。【００２７】  図７は、雨戸に装着された施錠状態における第一実施形態の雨戸錠の解錠を屋外側から試みた状態を示す要部Ｂ−Ｂ断面図である。図７の上側に示された雨戸可動部３１０上には、第一実施形態の雨戸錠が取付部１２０の雨戸取付孔１２１を介して雨戸枠３１１上の装着溝３１２に装着ネジ３１４によって装着されている。図７の下側には屋内側ガラス戸３３０が示されている。施錠状態であるため、屋外側ガラス戸３２０は図７の右側に移動していて屋外側ガラス戸レール３０２のみが示されている。隙間より挿入した金属棒５００によってアーム２０３を回転させ解錠を試みると、空隙幅４００より長い寸法のアーム２０３は屋内側ガラス戸枠３３１に阻止され、第一系止溝１１２と系止部２０２の系止を解除できず解錠が不可能となる。【００２８】  図８は、図５及び図６において、固定戸枠３００上の雨戸レール３０１と、屋外側ガラス戸レール３０２及び屋内側ガラス戸レール３０３との垂直段差が図５及び図６に示す例より大きく、アーム２０３がガラス戸レール３０３に接し、系止部２０２が第一系止溝１１２の高さまで下降できないような別の例に対応するための、本発明の第二実施形態の雨戸錠を示す斜視図である。第二実施形態の雨戸錠は、固定部６００と可動部７００より構成されている。固定部６００は、挿通孔上端６１１と、挿通孔６１２と、第一系止溝１１２と、移動経路１１３と、第二系止溝１１４とを有する本体６１０と、雨戸取付孔１２１を有する取付部１２０とよりなっている。可動部７００は、落とし棒７０１と、系止部７０２と、アーム７０３とを有している。図８は、系止部７０２が解錠位置である第二系止溝１１４に系止されている状態を示している。アーム２０３を図８の手前にほぼ直角となるまで回転することで系止解除となり、この状態では、系止部７０２は、移動経路１１３に沿って第一系止溝１１２と第二系止溝１１４との間を移動することが可能である。第二実施形態の雨戸錠においては、第一実施形態の雨戸錠における落とし棒２０１と、落とし棒２０１の上端と一体化された系止部２０２及びアーム２０３とよりなる可動部１００の代わりに、寸法のより長い落とし棒７０１と、落とし棒７０１の中間に設けられた系止部７０２と、落とし棒７０１の上端に設けられたアーム７０３とよりなる可動部７００とし、第二実施形態の雨戸錠では、第一実施形態の雨戸錠における挿通孔上端１１１の代わりに、挿通孔上端６１１を第二系止溝１１４の上面に設けた本体６１０とし、その他の構成要素は第一実施形態の雨戸錠と同一とすることで実施することが可能である。【００２９】  以上の実施形態は、本発明の雨戸錠を雨戸の下縁に装着する場合について述べたが、同様に雨戸の上縁及び左右縁に装着し実施することが可能である。
【図面の簡単な説明】
【００３０】
【図１】第一実施形態の雨戸錠を示す斜視図である。
【図２】第一実施形態の雨戸錠を示す分解図である。
【図３】第一実施形態の雨戸錠を示すＡ−Ａ断面図である。
【図４】第一実施形態の傾斜した落とし棒の雨戸錠を示すＡ−Ａ断面図である。
【図５】雨戸に装着された第一実施形態の雨戸錠の解錠状態を示す要部Ａ−Ａ断面図である。
【図６】雨戸に装着された第一実施形態の雨戸錠の施錠状態を示す要部Ａ−Ａ断面図である。
【図７】雨戸に装着された施錠状態における第一実施形態の雨戸錠の解錠を屋外側から試みた状態を示す要部Ｂ−Ｂ断面図である。
【図８】第二実施形態の雨戸錠を示す斜視図である。
【符号の説明】
【００３１】１００固定部
１１０本体
１１１挿通孔上端
１１２第一系止溝
１１３移動経路
１１４第二系止溝
１１５固定部ネジ孔
１１６挿通孔
１２０取付部
１２１雨戸取付孔
１２２固定部孔
１２３調整孔
２００可動部
２０１落とし棒
２０２系止部
２０３アーム
２０４バネ
２０５段差
３００固定戸枠
３０１雨戸レール
３０２屋外側ガラス戸レール
３０３屋内側ガラス戸レール
３０４錠孔
３１０雨戸可動部
３１１雨戸枠
３１２装着溝
３１３雨戸戸車
３１４装着ネジ
３２０屋外側ガラス戸
３２１屋外側ガラス戸枠
３２２屋外側ガラス
３２３屋内側ガラス戸戸車
３３０屋内側ガラス戸
３３１屋内側ガラス戸枠
３３２屋内側ガラス
３３３屋内側ガラス戸戸車
４００空隙幅
５００金属棒
６００固定部
６１０本体
６１１挿通孔上端
６１２挿通孔
７００可動部
７０１落とし棒
７０２系止部
７０３アーム
【図１】
2008095476.tif 000003
【図２】
2008095476.tif 000004
【図３】
2008095476.tif 000005
【図４】
2008095476.tif 000006
【図５】
2008095476.tif 000007
【図６】
2008095476.tif 000008
【図７】
2008095476.tif 000009
【図８】
2008095476.tif 000010
【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
建物開口部に設置され、屋内側のガラス戸と二層構造を形成する雨戸の可動部の縁に設けられた装着溝に装着され、前記雨戸の固定戸枠に形成された錠孔を利用して施錠する雨戸錠において、
回転可能な略円柱状の落とし棒と、前記落とし棒上に形成された系止部と、
施錠時にガラス戸枠によって前記回転を規制され施錠状態を保持するため前記落とし棒上に略直角に、前記回転時、前記ガラス戸枠に接する位置および長さとなるように形成されたアームとを有する可動部と、
前記落とし棒を軸支し回転軸に沿って移動せしめる前記錠孔に向かって形成された挿通孔と、前記系止部の移動経路周辺にあり施錠状態となる位置に設けられた第一系止溝とよりなる本体と、
前記本体を前記雨戸に装着する雨戸取付孔と、前記挿通孔の下端に接して形成されている調整孔とよりなる取付部とを有する固定部とより構成され、
前記系止部の前記移動経路周辺にあり解錠状態となる位置に設けられた第二系止溝と、前記系止部を前記第二系止溝に押圧するためのバネとを有し、
オプションとして、前記落とし棒の軸角度を調整可能とするため、前記取付部は前記本体より取り外し可能であり、前記本体に固定するための長孔である固定部孔が形成されていることを特徴とする雨戸錠。
【請求項２】
建物開口部に設置され、屋内側のガラス戸と二層構造を形成する雨戸の可動部の縁に設けられた装着溝に装着され、前記雨戸の固定戸枠に形成された錠孔を利用して施錠する雨戸錠において、
回転可能な略円柱状の落とし棒と、前記落とし棒上に形成された系止部と、
施錠時にガラス戸枠によって前記回転を規制され施錠状態を保持するため前記落とし棒上に略直角に、前記回転時、前記ガラス戸枠に接する位置および長さとなるように形成されたアームとを有する可動部と、
前記落とし棒を軸支し回転軸に沿って移動せしめる前記錠孔に向かって形成された挿通孔と、前記系止部の移動経路周辺にあり施錠状態となる位置に設けられた第一系止溝とよりなる本体と、
前記本体を前記雨戸に装着する雨戸取付孔と、前記挿通孔の下端に接して形成されている調整孔とよりなる取付部とを有する固定部とより構成され、
前記系止部の前記移動経路周辺にあり解錠状態となる位置に設けられた第二系止溝と、前記系止部を前記第二系止溝に押圧するためのバネとを有し、
オプションとして、前記落とし棒の軸角度を調整可能とするため、前記取付部は前記本体より取り外し可能であり、あらかじめ異なる位置に形成されている前記調整孔を有する複数の前記取付部の一を選択し組みあわせることを特徴とする雨戸錠。
【手続補正２】
【補正対象書類名】明細書
【補正対象項目名】００１３
【補正方法】変更
【補正の内容】
【００１３】  このような目的を達成するために、本出願の請求項１記載の雨戸錠は、建物開口部に設置され、屋内側のガラス戸と二層構造を形成する雨戸の可動部の縁に設けられた装着溝に装着され、前記雨戸の固定戸枠に形成された錠孔を利用して施錠する雨戸錠において、
回転可能な略円柱状の落とし棒と、前記落とし棒上に形成された系止部と、
施錠時にガラス戸枠によって前記回転を規制され施錠状態を保持するため前記落とし棒上に略直角に、前記回転時、前記ガラス戸枠に接する位置および長さとなるように形成されたアームとを有する可動部と、
前記落とし棒を軸支し回転軸に沿って移動せしめる前記錠孔に向かって形成された挿通孔と、前記系止部の移動経路周辺にあり施錠状態となる位置に設けられた第一系止溝とよりなる本体と、
前記本体を前記雨戸に装着する雨戸取付孔と、前記挿通孔の下端に接して形成されている調整孔とよりなる取付部とを有する固定部とより構成され、
前記系止部の前記移動経路周辺にあり解錠状態となる位置に設けられた第二系止溝と、前記系止部を前記第二系止溝に押圧するためのバネとを有し、
オプションとして、前記落とし棒の軸角度を調整可能とするため、前記取付部は前記本体より取り外し可能であり、前記本体に固定するための長孔である固定部孔が形成されていることを特徴とする。
【手続補正３】
【補正対象書類名】明細書
【補正対象項目名】００１４
【補正方法】変更
【補正の内容】
【００１４】  請求項２に記載の発明は、建物開口部に設置され、屋内側のガラス戸と二層構造を形成する雨戸の可動部の縁に設けられた装着溝に装着され、前記雨戸の固定戸枠に形成された錠孔を利用して施錠する雨戸錠において、
回転可能な略円柱状の落とし棒と、前記落とし棒上に形成された系止部と、
施錠時にガラス戸枠によって前記回転を規制され施錠状態を保持するため前記落とし棒上に略直角に、前記回転時、前記ガラス戸枠に接する位置および長さとなるように形成されたアームとを有する可動部と、
前記落とし棒を軸支し回転軸に沿って移動せしめる前記錠孔に向かって形成された挿通孔と、前記系止部の移動経路周辺にあり施錠状態となる位置に設けられた第一系止溝とよりなる本体と、
前記本体を前記雨戸に装着する雨戸取付孔と、前記挿通孔の下端に接して形成されている調整孔とよりなる取付部とを有する固定部とより構成され、
前記系止部の前記移動経路周辺にあり解錠状態となる位置に設けられた第二系止溝と、前記系止部を前記第二系止溝に押圧するためのバネとを有し、
オプションとして、前記落とし棒の軸角度を調整可能とするため、前記取付部は前記本体より取り外し可能であり、あらかじめ異なる位置に形成されている前記調整孔を有する複数の前記取付部の一を選択し組みあわせることを特徴とする。
【手続補正４】
【補正対象書類名】明細書
【補正対象項目名】００１５
【補正方法】削除
【補正の内容】